(57)【要約】      （修正有）【課題】がま口財布の使用者が指で容易に口金の姿勢を移行（閉姿勢→開姿勢、開姿勢→閉姿勢）させることが可能で、しかも耐久性に優れた開閉金具を提供する。【解決手段】開口部に沿って配設されるＵ字状の第１口金ならびに第２口金６と、第１口金を構成する２個の第１脚部５ａと第２口金６を構成する２個の第２脚部６ａとを回動可能に連結する２本の連結ピン３と、第１口金の２本の第１脚部５ａに掛け渡される第１梁部に固定されて磁気を吸着する磁着具７と、第２口金６の２本の第２脚部６ａに掛け渡される第２梁部６ｂに配設されて磁着具７との吸着ならびに離脱を可能にするてこ状の着脱具８と、を有し、着脱具８が第２梁部６ｂに回動軸９を支点として回動可能に取り付けられ、かつ磁着具７に接触する面に永久磁石１０が装着される。【選択図】図１
0003223393.tif 000002
【実用新案登録請求の範囲】
【請求項１】
がま口財布に収納物を入れる、あるいは、前記収納物を取り出す際に前記がま口財布の開口部を開閉するための開閉金具であって、
前記開口部に沿って配設されるＵ字状の第１口金ならびに第２口金と、
前記第１口金を構成する２個の第１脚部と前記第２口金を構成する２個の第２脚部とを回動可能に連結する２本の連結ピンと、
前記第１口金の２本の前記第１脚部に掛け渡される第１梁部に固定されて磁気を吸着する磁着具と、
前記第２口金の２本の前記第２脚部に掛け渡される第２梁部に配設されて前記磁着具との吸着ならびに離脱を可能にするてこ状の着脱具と、を有し、
前記着脱具が、前記第２梁部に回動軸を支点として回動可能に取り付けられ、かつ前記磁着具に接触する面に永久磁石が装着されてなることを特徴とするがま口財布の開閉金具。
【考案の詳細な説明】
【技術分野】
【０００１】
本考案は、がま口財布に収納物（たとえば硬貨等）を入れる、あるいは、収納物を取り出す際にがま口財布の開口部を開閉するための開閉金具に関するものである。
【背景技術】
【０００２】
従来から広く使用されているがま口財布の開閉金具は、図３に示すように、硬貨等の収納物を収納する財布本体１の開口部に取り付けられる。開閉金具は、財布本体１の開口部に沿って装着される口金４と、その口金４を回動可能に連結する連結ピン３と、口金４を閉じた状態に保ちつつ必要に応じて開く動作を可能にする留め具２と、で構成される。
【０００３】
ここで図３(a)に示す側面図ならびに図３(b)に示す正面図を参照して、従来の開閉金具について説明する。
【０００４】
開閉金具を構成する２個の口金４は、いずれもＵ字型の形状を呈し、各口金４は２個の脚部4aと、その脚部4aの一端に掛け渡される梁部4bとを備えている。脚部4aの他端には連結ピン３が装着されており、２個の連結ピン３を介して２個の口金４が回動可能に連結され、ひいては財布本体１の開口部が開閉可能となる。
【０００５】
なお、以下では、財布本体１の開口部が閉じた状態（すなわち口金４の梁部4b同士が接触した状態）を閉姿勢、開口部が開いた状態（すなわち口金４の梁部4b同士が離れた状態）を開姿勢と記す。
【０００６】
がま口財布の使用者は、開閉金具を閉姿勢に保つことによって、財布本体１内の収納物がこぼれ落ちるのを防ぎ、必要に応じて開閉金具を開姿勢にして収納物の出し入れを行なう。このように、通常は開閉金具を閉姿勢に保ちつつ、必要に応じて開姿勢への移行を可能にするために、梁部4bに留め具２が配設される。
【０００７】
従来の留め具２は一対をなすものであり、２個の口金４の梁部4bに夫々片方ずつ取り付けられる（特許文献１参照）。その留め具２は、傾斜した棒状の支柱部の先端に球状の係止部を有し、支柱部の弾力によって係止部同士が当接しかつ押圧されることによって、口金４が閉姿勢に保たれる。口金４を閉姿勢から開姿勢に移行させる時には、当接した係止部を使用者が指で分離させる。
【０００８】
このような従来の留め具２を備えた開閉金具は、留め具２の支柱部の強度が口金４に比べて大幅に劣り、しかも口金４の姿勢を移行（閉姿勢→開姿勢、開姿勢→閉姿勢）させる度に応力が繰り返し支柱部に作用するので、支柱部が破損し易いという問題がある。
【０００９】
留め具２の支柱部の剛性を向上させれば、がま口財布を使用する（すなわち開閉を繰り返す）ことによって生じる支柱部の破損を防止できるが、使用者が指で口金４の姿勢を移行させることが困難になるという新たな問題が生じる。
【先行技術文献】
【特許文献】
【００１０】
【特許文献１】特開2016-221182号公報
【考案の概要】
【考案が解決しようとする課題】
【００１１】
本考案は、従来の技術の問題点を解消し、がま口財布の使用者が指で容易に開閉金具の姿勢を移行（閉姿勢→開姿勢、開姿勢→閉姿勢）させることが可能で、しかも耐久性に優れた開閉金具を提供することを目的とする。
【課題を解決するための手段】
【００１２】
本考案者は、留め具の弾力性を活用した従来の開閉金具の問題を解消するために、磁気を活用する開閉金具について検討した。その結果、磁気による吸着力は開閉金具を閉姿勢に保つ手段として有効であるが、開閉金具を閉姿勢から開姿勢に移行させる際には磁気による吸着力が妨げになるので、閉姿勢から開姿勢に容易に移行させるための工夫が必要であることが判明した。
【００１３】
磁気の発生源として電磁石を使用すれば、開閉金具を閉姿勢から開姿勢に移行させる際に磁気の発生を停止（すなわち電流の供給を停止）して、姿勢を容易に移行させることは可能であるが、がま口財布に求められる利便性が大きく損なわれて、実用に供するのは困難である。
【００１４】
そこで本考案者は、永久磁石を使用した開閉金具を試作して、口金を容易に閉姿勢から開姿勢に移行させる技術について詳しく検討した。そして、てこ状の部材を活用すれば、磁気による吸着力で閉姿勢に保たれている開閉金具を容易に開姿勢に移行できることを見出した。
【００１５】
本考案は、このような知見に基づいてなされたものである。
すなわち本考案は、がま口財布に収納物を入れる、あるいは、収納物を取り出す際にがま口財布の開口部を開閉するための開閉金具であって、開口部に沿って配設されるＵ字状の第１口金ならびに第２口金と、第１口金を構成する２個の第１脚部と第２口金を構成する２個の第２脚部とを回動可能に連結する２本の連結ピンと、第１口金の２本の第１脚部に掛け渡される第１梁部に固定されて磁気を吸着する磁着具と、第２口金の２本の第２脚部に掛け渡される第２梁部に配設されて磁着具との吸着ならびに離脱を可能にするてこ状の着脱具と、を有し、着脱具が第２梁部に回動軸を支点として回動可能に取り付けられ、かつ磁着具に接触する面に永久磁石が装着されてなる開閉金具である。
【考案の効果】
【００１６】
本考案によれば、がま口財布の使用者が指で容易に姿勢を移行させることが可能で、しかも耐久性に優れた開閉金具を提供できるので、産業上格段の効果を奏する。
【図面の簡単な説明】
【００１７】
【図１】本考案の開閉金具の閉姿勢の例を模式的に示す図であり、(a)は側面図、(b)は正面図である。
【図２】図１に示す開閉金具の開姿勢の例を模式的に示す側面図である。
【図３】従来の開閉金具の閉姿勢の例を模式的に示す図であり、(a)は側面図、(b)は正面図である。
【考案を実施するための形態】
【００１８】
図１は、本考案の開閉金具の閉姿勢の例を模式的に示す図であり、(a)は側面図、(b)は正面図である。
【００１９】
本考案の開閉金具はＵ字型の形状を呈する２個の口金を備えており、夫々の口金を区別するために、図１(b)に示される口金を便宜的に第２口金６、他方の口金を第１口金５と記す。第１口金５は２個の第１脚部5aと、その第１脚部5aの一端に掛け渡される第１梁部5bとを備えている。同様に第２口金６は２個の第２脚部6aと、その第２脚部6aの一端に掛け渡される第２梁部6bとを備えている。第１脚部5aならびに第２脚部6aの他端には連結ピン３が装着されており、２個の連結ピン３を介して第１口金５と第２口金６が回動可能に連結される。なお図１(b)において、第１口金５の第１脚部5aと第１梁部5bは、夫々第２口金６の第２脚部6aと第２梁部6bの背後に位置する。
【００２０】
第１梁部5bには磁着具７が固定される。他方の第２梁部6bには、てこ状の着脱具８が回動軸９を介して回動可能に配設される。さらに着脱具８には、磁着具７に対向する面に永久磁石10が装着され、開閉金具の閉姿勢において、着脱具８の永久磁石10とそれに対向する磁着具７とが接触して磁力で吸着する。こうして開閉金具が閉姿勢に保たれる。
【００２１】
開閉金具を閉姿勢から開姿勢に移行させる時には、着脱具８の永久磁石10を装着された部位の反対側の端部を財布本体１から引き離す方向へ使用者が指で操作することによって、着脱具８が回動軸９を支点として回動する。その結果、着脱具８がてこの機能を果たすので、僅かな指の力で着脱具８（具体的には永久磁石10）と磁着具７を容易に分離させることが可能で、開閉金具を開姿勢に移行させることができる（図２参照）。
【００２２】
しかも、開閉金具の姿勢を移行（閉姿勢→開姿勢、開姿勢→閉姿勢）させる際に着脱具８と磁着具７の弾性変形を発生させる必要はないので、開閉金具の耐久性を高めるために剛性を向上させた素材を使用しても何ら問題は生じない。
【００２３】
以上、本考案の開閉金具の第１梁部5bに磁着具７が固定され、第２梁部6bに着脱具８が回動可能に配設される例について説明したが、第１梁部5bに着脱具８を回動可能に配設し、第２梁部6bに磁着具７を固定しても良い。
また、永久磁石10を磁着具７に装着しても良い。
【実施例】
【００２４】
本考案の開閉金具（図１、２参照）を備えたがま口財布を試作して、１ケ月にわたって毎日、硬貨の出し入れに使用した。その間、がま口財布の開閉金具の姿勢（閉姿勢→開姿勢→閉姿勢）を頻繁に移行させたが、指の痛みや負傷は皆無で、容易に姿勢を移行させることができた。
【００２５】
さらに、１ケ月の使用期間が経過した後、開閉金具を目視で点検したところ、破損や損傷は認められなかった。
【符号の説明】
【００２６】
１  財布本体
２  留め具
３  連結ピン
４  口金
4a  脚部
4b  梁部
５  第１口金
5a  第１脚部
5b  第１梁部
６  第２口金
6a  第２脚部
6b  第２梁部
７  磁着具
８  着脱具
９  回動軸
10  永久磁石
【図１】
0003223393.tif 000003
【図２】
0003223393.tif 000004
【図３】
0003223393.tif 000005